(57)【要約】  動き補償と色変換とを利用して色順次式表示システムの複雑性を低減するシステムおよび方法。色順次式表示システム（１０）が提案されている。この色順次式表示システム（１０）は、一組のＹＵＶ成分のうちのＹ成分に作用して一組の動きベクトル（３６）を生成する動き推定システム（１４）、および一組の動きベクトルと一組のＹＵＶ成分とを受け取り、動き補償された赤、緑、および青（ＲＧＢ）のデータ（３８）を出力する複雑性低減システム（２２）、を有しており、複雑性低減システムは、一組の変換式（３２）に基づいてＹＵＶ色空間からＲＧＢ色空間に変換する色空間変換システム（１８）、および一組の変換式に基づいて、一組のＹＵＶ成分のうちの一部の成分を選択して動き補償する動き補償色シーケンスシステム（１６）、を有している。
2008510347.tif 000002
【特許請求の範囲】
【請求項１】
色順次式表示システムの複雑さを低減する方法であって、
前記方法は、
第１の色空間の一組の色成分を受け取るステップ、
前記第１の色空間の前記一組の色成分のうちの少なくとも１つの色成分に基づいて一組の動きベクトルを生成するステップ、および
前記第１の色空間の前記一組の色成分のうちの一部の色成分に対して動き補償計算を実行するステップ、
を有し、
前記一部の色成分は、前記第１の色空間の前記一組の色成分を第２の色空間の一組の色成分に変換する変換式に基づいて、決定される、方法。
【請求項２】
前記第２の色空間の前記一組の色成分を順に表示する他のステップを有する、請求項１に記載の方法。
【請求項３】
前記第１の色空間の前記一組の色成分は、前記第２の色空間の前記一組の色成分から変換された色である、請求項１に記載の方法。
【請求項４】
前記第２の色空間はＲＧＢ色空間を構成している、請求項１に記載の方法。
【請求項５】
前記第１の色空間はＹＵＶ色空間を構成している、請求項４に記載の方法。
【請求項６】
前記変換式は以下のＲ、Ｇ、およびＢからなる式から選択され、
Ｒ＝ａ１・Ｙ＋ｃ１・Ｖ
Ｂ＝ａ２・Ｙ＋ｂ２・Ｕ
Ｇ＝ａ３・Ｙ＋ｂ３・Ｕ＋ｃ３・Ｖ
ここで、ａ１、ａ２、ａ３、ｂ２、ｂ３、ｃ１、およびｃ３は、所定の変換係数を構成する、請求項５に記載の方法。
【請求項７】
前記第１の色空間の前記一組の色成分のうちの少なくとも一つの色成分は、Ｙ成分である、請求項６に記載の方法。
【請求項８】
前記一部の色成分は、前記ＲＧＢ色空間に変換する前記変換式が青出力成分用の変換式である場合、Ｙ成分およびＵ成分からなり、前記ＲＧＢ色空間に変換する前記変換式が赤出力成分用の変換式である場合、Ｙ成分およびＶ成分からなる、請求項７に記載の方法。
【請求項９】
前記変換式は以下のように規定され、
Ｃｏｕｔ，ｉ＝αｉ・Ｙ＋βｉ・Ｕ＋γｉ・Ｖ（ｉは１〜Ｎｏｕｔ）
ここで、Ｃｏｕｔ，ｉはｉ番目の出力色成分であり、Ｎｏｕｔは出力色成分の数であり、
βｉが第１の所定のしきい値以下である場合、Ｕに対して動き補償は行われず、γｉが第２の所定のしきい値以下である場合、Ｖに対して動き補償は行われない、請求項１に記載の方法。
【請求項１０】
一組のＹＵＶ成分のうちのＹ成分に作用して一組の動きベクトルを生成する動き推定システム、および
前記一組の動きベクトルと前記一組のＹＵＶ成分とを受け取り、動き補償された赤データ、緑データ、および青データを出力する複雑性低減システム、
を有する色順次式表示システムであって、
前記複雑性低減システムは、
一組の変換式に基づいてＹＵＶ色空間からＲＧＢ色空間に変換する色空間変換システム、および
前記一組の変換式に基づいて、前記一組のＹＵＶ成分のうちの一部の成分を選択して動き補償する動き補償色シーケンスシステム、
を有する、色順次式表示システム。
【請求項１１】
初めにＲＧＢデータを前記一組のＹＵＶデータに変換する色空間変換システムを更に有する、請求項１０に記載の色順次式表示システム。
【請求項１２】
前記一組の変換式は、
Ｒ＝ａ１・Ｙ＋ｃ１・Ｖ
Ｂ＝ａ２・Ｙ＋ｂ２・Ｕ
Ｇ＝ａ３・Ｙ＋ｂ３・Ｕ＋ｃ３・Ｖ
ここで、ａ１、ａ２、ａ３、ｂ２、ｂ３、ｃ１、およびｃ３は、所定の変換係数を構成する、請求項１０に記載の色順次式表示システム。
【請求項１３】
青の出力を表示すべき場合はＹ成分とＵ成分のみが動き補償され、赤の出力を表示すべき場合はＹ成分とＶ成分のみが動き補償される、請求項１２に記載の色順次式表示システム。
【請求項１４】
色順次式表示システムの複雑さを低減するための記録可能媒体に記憶されたプログラムであって、
前記プログラムは、
第１の色空間の一組の色成分を受け取る手段、
前記第１の色空間の前記一組の色成分のうちの少なくとも１つの色成分に基づいて一組の動きベクトルを生成する手段、および
前記第１の色空間の前記一組の色成分のうちの一部の色成分に対して動き補償計算を実行する手段、
を有し、
前記一部の色成分は、前記第１の色空間の前記一組の色成分を第２の色空間の一組の色成分に変換する変換式に基づいて、決定される、プログラム。
【請求項１５】
前記第２の色空間の前記一組の色成分を順に表示する手段を更に有する、請求項１４に記載のプログラム。
【請求項１６】
前記第２の色空間の前記一組の色成分を前記第１の色空間の前記一組の色成分に色変換する手段を更に有する、請求項１４に記載のプログラム。
【請求項１７】
前記第２の色空間はＲＧＢ色空間を構成しており、前記第１の色空間はＹＵＶ色空間を構成している、請求項１４に記載のプログラム。
【請求項１８】
前記変換式は以下のＲ、Ｇ、およびＢからなる式から選択され、
Ｒ＝ａ１・Ｙ＋ｃ１・Ｖ
Ｂ＝ａ２・Ｙ＋ｂ２・Ｕ
Ｇ＝ａ３・Ｙ＋ｂ３・Ｕ＋ｃ３・Ｖ
ここで、ａ１、ａ２、ａ３、ｂ２、ｂ３、ｃ１、およびｃ３は、所定の変換係数を構成する、請求項１７に記載のプログラム。
【請求項１９】
前記一部の色成分は、前記ＲＧＢ色空間に変換する前記変換式が青出力成分用の変換式である場合、Ｙ成分およびＵ成分からなり、前記ＲＧＢ色空間に変換する前記変換式が赤出力成分用の変換式である場合、Ｙ成分およびＶ成分からなる、請求項１８に記載のプログラム。
【請求項２０】
前記変換式は以下のように規定され、
Ｃｏｕｔ，ｉ＝αｉ・Ｙ＋βｉ・Ｕ＋γｉ・Ｖ（ｉは１〜Ｎｏｕｔ）
ここで、Ｃｏｕｔ，ｉはｉ番目の出力色成分であり、Ｎｏｕｔは出力色成分の数であり、
βｉが第１の所定のしきい値以下である場合、Ｕに対して動き補償は行われず、γｉが第２の所定のしきい値以下である場合、Ｖに対して動き補償は行われない、請求項１４に記載のプログラム。
【発明の詳細な説明】
【技術分野】
【０００１】
本発明は、一般的には、色順次式表示システムのフレームレートアップ変換に関し、特に、動き補償フレームレートアップ変換と色変換とを組み合わせることにより複雑さを低減するシステムおよび方法に関する。
【背景技術】
【０００２】
カラー画像ディスプレイは、一般的に２つのタイプがある。第１の例では（直視型ＣＲＴカラーディスプレイが典型的である）、全てのカラー画像成分が同時に表示される。画像モデル（例えば、ＣＣＩＲ−６０１信号）によって、各画像ピクセルの特定の時刻における輝度およびクロミナンスが規定されている。動画は、時間的に連続するカラー画像フレームとして表示される。
【０００３】
第２のタイプのカラー画像ディスプレイでは、複数のカラー画像面が順に表示される。このタイプのシステムは、例えば、種々の色の光が共通の空間光変調器を順に照明する単一パネル画像投影システムで使用される。したがって、空間光変調器は、画素の各色成分の強度を、順番に且つ別々に変調し、これにより、カラー動画として認識される。
【０００４】
色順次式ディスプレイは、１フレーム期間の間に、赤色、緑色、青色（ＲＧＢ）を交互に表示する。ディスプレイを見る人は、画像の各画素から順に集積される光を認識する。しかし、ディスプレイを見る人の目のサッカディック運動が原因で、又はディスプレイを見る人が部分的にしか追跡しない高コントラストの物体の動きが原因で、ディスプレイを見る人の網膜の異なる部分に、意図しない色縁が現れるように、物体の輪郭が結像する場合がある。これにより、色割れと呼ばれるアーチファクトが生じ、ディスプレイを観察するときの画質に悪影響を与える。
【０００５】
この問題を取り扱うための種々の方法が提案されている。例えば、２００１年２月８日に公開されたＰＣＴの公報ＷＯ０１／１０１３１Ａ１には、色順次式ディスプレイの画像面の動き補償のシステムおよび方法が記載されており、このシステムおよび方法は、参照することにより本明細書に取り込まれている。この技術は、動き推定と動き補償とを使用して、色順次式ディスプレイに表示される赤フレーム、緑フレーム、および青フレームを生成することを記述している。動き補償技術を使用して、元のフレームレートよりも高い表示フレームレートでフレームを生成することができる。高い表示フレームレートを使用することは、色割れのアーチファクトの低減および動きジャダー（motion-judder）の低減にかなり貢献している。動き補償によるフレームレートアップ変換技術を使用する場合、表示に必要なＲＧＢ色空間で直接的に動き補償を行うよりも、輝度／クロミナンス（ＹＵＶ）空間における動き補償の方が、記憶量および帯域幅が小さいので、輝度／クロミナンス（ＹＵＶ）空間における動き補償を使用することによって複雑さの程度が低減する。しかし、斯かる技術は、計算量が依然として多い傾向がある。したがって、順次式カラーディスプレイが引き起こす色割れの問題に対処するフレームレートアップ変換の複雑さを低減することができるシステムおよびその方法の必要性がある。
【発明の開示】
【発明が解決しようとする課題】
【０００６】
本発明は、動き補償と色変換とを組み合わせることにより色順次式表示システムの複雑さを低減するシステム、方法、およびプログラムプロダクトを提供し、上記の問題および他の問題に対処するものである。
【課題を解決するための手段】
【０００７】
第１の態様では、本発明は、色順次式表示システムの複雑さを低減する方法を提供する。この方法は、第１の色空間の一組の色成分を受け取るステップ、上記第１の色空間の上記一組の色成分のうちの少なくとも１つの色成分に基づいて一組の動きベクトルを生成するステップ、および上記第１の色空間の上記一組の色成分のうちの一部の色成分に対して動き補償計算を実行するステップ、を有し、上記一部の色成分は、上記第１の色空間の上記一組の色成分を第２の色空間の一組の色成分に変換する変換式に基づいて、決定される。
【０００８】
第２の態様では、本発明は、色順次式表示システムを提供する。この色順次式表示システムは、一組のＹＵＶ成分のうちのＹ成分に作用して一組の動きベクトルを生成する動き推定システム、および上記一組の動きベクトルと上記一組のＹＵＶ成分とを受け取り、動き補償された赤データ、緑データ、および青データ（ＲＧＢ）を出力する複雑性低減システム、を有しており、上記複雑性低減システムは、一組の変換式に基づいてＹＵＶ色空間からＲＧＢ色空間に変換する色空間変換システム、および上記一組の変換式に基づいて、上記一組のＹＵＶ成分のうちの一部の成分を選択して動き補償する動き補償色シーケンスシステム、を有している。
【０００９】
第３の態様では、本発明は、色順次式表示システムの複雑さを低減するための記録可能媒体に記憶されたプログラムプロダクトを提供する。上記プログラムプロダクトは、第１の色空間の一組の色成分を受け取る手段、上記第１の色空間の上記一組の色成分のうちの少なくとも１つの色成分に基づいて一組の動きベクトルを生成する手段、および上記第１の色空間の上記一組の色成分のうちの一部の色成分に対して動き補償計算を実行する手段、を有し、上記一部の色成分は、上記第１の色空間の上記一組の色成分を第２の色空間の一組の色成分に変換する変換式に基づいて、決定される。
【００１０】
本発明のこれらの特徴および他の特徴は、添付された図面に関連する本発明の種々の態様についての以下の詳細な記載から、さらに容易に理解される。
【発明を実施するための最良の形態】
【００１１】
本発明は、動き補償フレームレートアップ変換と色空間変換とを組み合わせることにより色順次式表示システムの複雑さを低減するシステムおよび方法を提供する。下記のように、必要な動き補償計算は、色空間の変換を行うために使用される式に従って行われ、これにより、性能を犠牲にせずに、特定の計算を削除することができる。
【００１２】
色順次式ディスプレイは、フルカラー画像を構成するＮｏｕｔ個の原色成分Ｃｏｕｔ，ｉ（ｔ）を時系列的に示すことによって、フルカラー画像を生成する（ｉ＝１．．Ｎｏｕｔ）。これらの原色成分Ｃｏｕｔ，ｉ（ｔ）は、ディスプレイの入力部におけるＮｉｎ個の色成分（Ｃｉｎ，ｊ（ｔ）（ｊ＝１．．Ｎｉｎ）で表される）と同一であるか、又はＮｉｎ個の色成分Ｃｉｎ，ｊ（ｔ）から得られるものである。ディスプレイの入力は、ＲＧＢ、ＹＵＶ、又は他の形式とすることができ、出力はＲＧＢ又は他の形式とすることができる。典型的には、Ｎｉｎ個の色成分は、オリジナルのシーン（original scene）の同一の時刻における値を表すものである。Ｎｏｕｔ個の出力がＮｉｎ個の入力と同じ時刻の瞬間を表しており、且つＮｏｕｔ個の出力が時系列的に表示される場合、Ｎｏｕｔ個の出力カラーのうちの少なくともＮｏｕｔ−１個の出力カラーは、不適当な時刻に表示される。
【００１３】
この影響を受けて、動きジャダーと呼ばれる目に見えるアーチファクトが生じ、図１には、Ｎｏｕｔ＝Ｎｉｎ＝３であって、ＲＧＢ入力およびＲＧＢ出力である場合に対して、この影響が示されている。図１は、物体の位置を表している。この物体は、「本来の動き（original motion）」軌道と呼ばれる軌道上を移動するが、色順次式ディスプレイは、この物体を、ＲＧＢのそれぞれの色で示される位置において、異なる時刻で表示している。時刻ｎＴ、（ｎ＋１）Ｔなどは、入力成分の有効時刻を示しており、Ｔは入力フレーム期間である。ｙ軸は移動している物体の位置を示す。図を参照して分かるように、赤の成分Ｒｏｕｔ（ｔ）は「本来の動き」軌道に従った正しい位置で表示されている。しかし、緑の成分Ｇｏｕｔ（ｔ）および青の成分Ｂｏｕｔ（ｔ）は、「本来の動き」軌道と比較すると、違った位置で表示されている。ディスプレイを見る人には、このような違った位置の色成分が、物体の自然な動きの軌道について動きジャダーをもたらす外乱として見える。
【００１４】
動き補償フレームレート変換を適用することにより、もっと良好な結果を得ることができる。この動き補償フレームレート変換は、入力フレームと入力フレームとの間での動き補償補間により、適切な表示時刻の出力成分を計算する。動き推定手続きと動き補償補間手続きにより、誤差が生じることから、輝度を認識するのに最も寄与する原色成分（例えば、緑）を時間基準と考えて、赤と青のみを補間することが有利である。
【００１５】
図２は、全体的な動き補償によって、どのように本来の動きをうまく追跡するかを示している。この場合、赤と青の色成分は、動き補償補間によって得られる。複雑さを少なくするために、「２番目に明るい」色成分（例えば、赤）の時刻に対してだけ、動きベクトルを取得してもよく、これにより、残差ジャダー（residual judder）が一部に残る犠牲を払うが、不適切な時刻に表示される色を「最も暗い」色とすることが可能になる。複雑さをさらに少なくするために、動き推定および動き補償を別の色空間（例えば、ＹＵＶ）で実行することができ、ＵとＶの帯域幅が小さいという恩恵を受けることができる。残差ジャダーが許容できるのであれば、ＵとＶによる動き補償は、更なる省略が可能である。
【００１６】
ＹＵＶ色空間での動き補償では、Ｒ、Ｇ、およびＢの色成分と比較して、記憶量が少ないという利点と（付随的に）ＵとＶの色成分の帯域幅が小さくなるという利点と、が得られる。ＵとＶの各成分の帯域幅がＹ成分の帯域幅の半分である４：２：２のＹＵＶサンプリングフォーマットでは、かなりの高品質が達成できる。Ｙ成分は、Ｒ、Ｇ、およびＢの成分と同じ帯域幅を有している。あるいは、他のＹＵＶサンプリングフォーマット（例えば、Ｕ成分およびＶ成分の帯域幅がＹ成分の帯域幅の１／４である４：２：０のＹＵＶサンプリングフォーマット）を使用することができる。
【００１７】
図３は、色順次式処理システム１０を示している。ＹＵＶビデオ入力がこのシステムでまだ利用可能ではない場合、色空間変換手段１２によって、ＲＧＢビデオ入力又は他の色空間ビデオ入力が、例えば４：２：２のＹＵＶ色成分に変換される。次いで、Ｙ入力成分に対して動き推定１４が行われ、Ｕ成分およびＶ成分の動きベクトルを計算する。推定された動きベクトルは、動き補償色シーケンスシステム１６によって使用され、正しい表示を行うための動き補償されたＹ出力成分、Ｕ出力成分、およびＶ出力成分が得られる。ＲＧＢ色空間のＲ成分、Ｇ成分、およびＢ成分の各々を個別に動き補償する場合と比較して、ＹＵＶ４：２：２では、Ｙ成分、Ｕ成分、およびＶ成分を先ず正しい表示時刻に動き補償する場合に処理する必要のあるデータ量が３３％削減され、ＹＵＶ４：２：０では、このデータ量が５０％削減される。この後に、標準色空間変換方法を使用する色空間変換システム１８によって、動き補償されたＲ成分、Ｇ成分、およびＧ成分が計算される。出力されたＲＧＢ信号は、色順次式ディスプレイ２０に送られる。
【００１８】
本発明は複雑性低減システム２２を有している。このシステム２２は、動き補償色シーケンスシステム１６の機能と色空間変換システム１８とを組み合わせている。特に、本発明では、色空間変換システム１８は、ディスプレイ２０に送られるＲ、Ｇ、又はＢの動き補償された出力を計算するのに、Ｕ成分とＶ成分との両方を必要としなくてもよいことが認められる。したがって、動き補償されたＵおよびＶの成分を、表示時刻ごとに計算する必要はない。
【００１９】
図４は、複雑性低減システム２２を更に詳細に示している。複雑性低減システム２２は、動き補償色シーケンスシステム１６が、Ｒ、Ｇ、又はＢの色成分のうちのどの色成分を出力部に表示する必要があるかに従ってＵ成分およびＶ成分を別々に処理できるようにする機能を備えている。特に、動き補償色シーケンスシステム１６は、出力カラー識別システム２４を有している。このシステム２４は、与えられたＹＵＶ入力の特定の時刻に対して、Ｒ、Ｇ、又はＢの色成分のうちのどの色成分を出力部に表示させるべきかを識別する。表示されるべき色成分の識別は、例えば、処理する色データの時間的な順序に基づいて、容易に決定することができる。例えば、図２に示すように、出力成分はＧＲＢ、ＧＲＢ、ＧＲＢ...の順に表示されることが分かっている。さらに、緑の成分Ｇｏｕｔ（ｔ）が各フレームの最初に表示され、赤の成分Ｒｏｕｔ（ｔ）は、各フレームの中の１／３のところ（例えば、ｎＴ＋Ｔ／３、ｎＴ＋４Ｔ／３、など）で表示され、青の成分Ｂｏｕｔ（ｔ）は、各フレームの中の２／３のところで表示されることが分かっている。したがって、出力カラー識別システム２４は、与えられたＹＵＶ入力に対してどの出力カラーが表示されているかを容易に追跡することができる。
【００２０】
出力するために処理される特定の色成分が決定されると、入力成分選択システム２８は、入力された成分のうちのどの成分を動き補償計算に含める必要があるかを選択する。この決定は、一組の変換式３２に基づいて行われる。この一組の変換式３２を利用して、入力された色成分（例えば、ＹＵＶ）が出力色成分ポーネント（例えば、ＲＧＢ）に変換される。
【００２１】
例えば、図３のシステムでは、複雑性低減システム２２への入力は、Ｙ成分、Ｕ成分、およびＶ成分を有しており、システム２２からの出力は、Ｒ成分、Ｇ成分、およびＢ成分を有している。ＩＴＵの勧告ＩＴＵ−Ｒ６０１［３］（又はＩＴＵ−７０９［４］）によれば、Ｒ、Ｇ、およびＢを、以下の一組の変換式３２で書くことができる（オフセットは無視されている）。
Ｒ＝ａ１・Ｙ＋ｃ１・Ｖ
Ｂ＝ａ２・Ｙ＋ｂ２・Ｕ
Ｇ＝ａ３・Ｙ＋ｂ３・Ｕ＋ｃ３・Ｖ
ここで、ａ１、ａ２、ａ３、ｂ２、ｂ３、ｃ１、およびｃ３は、変換係数を構成している。
したがって、Ｒが表示されるべき時刻に対して、Ｙ成分およびＶ成分のみが入力成分選択システム２８により選択され、動き補償をして計算が行われる。同様に、Ｂが表示されるべき時刻に対して、Ｙ成分およびＵ成分のみが入力成分選択システム２８により選択され、動き補償をして計算が行われる。
【００２２】
これは、図５に更に詳細に示されている。Ｇ成分の表示の時刻がＹＵＶ入力の時刻に一致する場合、斯かる表示の時刻におけるＹ成分、Ｕ成分、Ｖ成分のどの成分に対しても動き補償は必要ない（この理由は、Ｇが時間基準として定められているらである）。Ｂ成分の表示の時刻がＹＵＶ入力の時刻に一致する場合、この表示の時刻におけるＹ成分およびＵ成分に対して動き補償は必要ない。最後に、Ｒ成分の表示の時刻がＹＵＶ入力の時刻に一致する場合、この表示の時刻におけるＹ成分およびＶ成分に対して動き補償は必要ない。これは、動き補償されたＹ成分、Ｕ成分、およびＶ成分の一部が必要であるかどうかにかかわらず、全ての表示の時刻における動き補償されたＹ成分、Ｕ成分、およびＶ成分を自動的に計算するＹＵＶ動き補償システムと同等のものである。したがって、動き補償色シーケンスシステム１６の全体的な複雑性が、性能を犠牲にせずに、低減される。
【００２３】
本発明は、ＹＵＶをＲＧＢに変換するシステムに関して上述されているが、本発明の概念は、ＹＵＶ／ＲＧＢ色空間に限定されるものではなく、（１）色シーケンスに対する動き補償、（２）色変換、（３）色成分の表示の時系列的な順番を予め知る、を含んだ任意のシステムに適用することができる。さらに、本発明は、１つの出力成分が一組の複数の入力成分から得られるマルチカラーディスプレイ（例えば、Ｎｏｕｔ>３）に一般化することができる。斯かる場合には、入力成分（例えば、ＹＵＶ）と出力成分との間の関係を一義的に規定することができない。したがって、一組の変換式３２は、ＵおよびＶの変換の回数が最小になるように選択される。
入力成分と出力成分との間に線形の関係がある一般的な例では、Ｎｏｕｔ個の出力原色Ｃｏｕｔ，ｉ（ｉ＝１．．Ｎｏｕｔ）の各々は、以下のように書くことができる。
Ｃｏｕｔ，ｉ＝αｉ・Ｙ＋βｉ・Ｕ＋γｉ・Ｖ（ｉは１〜Ｎｏｕｔ）
【００２４】
βｉがゼロ又は小さい（即ち、所定のしきい値より小さい）出力色に対しては、Ｕをアップ変換する必要はない。同様に、γｉがゼロ又は小さい出力色に対しては、Ｖをアップ変換する必要はない。一組の変換式を線形の関係に限定する必要はなく、任意の関係を含むことができる。さらに、この考えは、動き補償をＹＵＶ以外の色空間にまで拡張することができる。
【００２５】
尚、本明細書に記載されているシステム、機能、メカニズム、方法、エンジン、およびモジュールは、ハードウェア、ソフトウェア、又はハードウェアとソフトウェアとの組合せによって実現することができる。本明細書に記載されているシステム、機能、メカニズム、方法、エンジン、およびモジュールは、本明細書に記載されている方法を実行するのに適している任意の型式のコンピュータシステム又は他の装置によって実現することができる。ハードウェアとソフトウェアとの典型的な組合せは、コンピュータプログラムがロードされ実行されたときに、コンピュータシステムが本明細書に記載された方法を実行するようにコンピュータシステムを制御するような、コンピュータプログラムを備えた汎用コンピュータシステムである。あるいは、本発明の一つ以上の機能タスクを実行する専用ハードウェアを含む特別用途コンピュータを利用することができる。
【００２６】
本発明は、明細書に記載されている方法および機能を実現することができる全ての特徴を有しているコンピュータプログラムプロダクトであって、プログラムがコンピュータシステムにロードされたときにこれらの方法および機能を実行することができるコンピュータプログラムプロダクトに埋め込むこともできる。本発明において、コンピュータプログラム、ソフトウェアプログラム、プログラム、プログラムプロダクト、ソフトウェアなどの用語は、情報処理能力を有するシステムが、特別の機能を、直接に実行するための又は（ａ）別の言語、別のコード、若しくは別の表記への変換と（ｂ）異なるデータ形式での再生とのうちの一方若しくは両方の後に実行するための命令の集合を、任意の言語、任意のコード、又は任意の表記で表したものであることを意味する。
【００２７】
本発明の上述の記載は、図示と記述とを行う目的で提示されている。上述に記載された例は、本発明を網羅したものではなく、又は開示された形式そのもに本発明を制限するものでもなく、明らかに、多くの修正例および変形例が可能である。当業者に明らかな斯かる修正例および変形例は、添付された特許請求の範囲に規定された本発明の範囲に含まれるものである。
【図面の簡単な説明】
【００２８】
【図１】動き補償が行われない従来の色順次式ディスプレイのＲＧＢ出力を示す図である。
【図２】色順次式ディスプレイの動き補償されたＲＧＢ出力を示す図である。
【図３】本発明による色順次式処理システムを示す図である。
【図４】本発明による複雑性低減システムを示す図である。
【図５】本発明の複雑性低減システムを使用したときの動き補償されたＲＧＢ出力を示す図である。
【図１】
2008510347.tif 000003
【図２】
2008510347.tif 000004
【図３】
2008510347.tif 000005
【図４】
2008510347.tif 000006
【図５】
2008510347.tif 000007
【国際調査報告】
2008510347.tif 000008
2008510347.tif 000009
2008510347.tif 000010